(57)【特許請求の範囲】
【請求項１】
複数の無線基地局と、該複数の無線基地局を統括する統括局とがループ状の光ファイバで光波長多重伝送により接続されている移動通信用基地局ネットワークにおいて、
前記無線基地局は、所定の波長の光信号を送信する波長可変送信器と、前記波長可変送信器からの光信号を光波長多重伝送するために、前記光ファイバ上の光信号と合波するＷＤＭカプラを具備し、
前記統括局は、光波長多重伝送された光信号の波長を受信する複数の光受信器と、複数の前記無線基地局より光波長多重伝送されてきた光信号を各波長にそれぞれ前記光受信器に分波するＷＤＭカプラを具備し、
前記無線基地局と通信する一の移動端末が移動して、通信する無線基地局を変更した場合、
前記一の移動端末が移動した先の無線基地局は、前記波長可変送信器の波長を制御し、移動前の無線基地局が送信した光信号波長と同一の光信号波長で、前記統括局に送信することを特徴とする移動通信用基地局ネットワーク。
【請求項２】
請求項１に記載の移動通信用基地局ネットワークにおいて、
前記無線基地局に設けたＷＤＭカプラは、前記ループ状の光ファイバ上を光波長多重伝送される複数の波長の光信号から、特定の波長のみを分波し、前記無線基地局は、前記ＷＤＭカプラにより分波された光信号を受信する光受信器を具備し、
前記統括局は、光波長多重伝送のための光信号を送信する複数の波長可変光送信器を具備し、前記統括局に設けたＷＤＭカプラは、前記複数の波長可変光送信器からの光信号を光波長多重伝送するために合波し、
前記無線基地局と通信する一の移動端末が移動して、通信する無線基地局を変更した場合、
前記統括局は、前記波長可変送信器の波長を制御し、前記一の移動端末が移動した先の無線基地局に割り当てられた光波長に変更して、移動した先の無線基地局に送信することを特徴とする移動通信用基地局ネットワーク。
【請求項３】
請求項１に記載の移動通信用基地局ネットワークにおいて、
前記無線基地局に設けたＷＤＭカプラは、可変ＷＤＭカプラであって、前記ループ状の光ファイバ上を光波長多重伝送された複数の波長の光信号から分波する波長を可変とし、前記無線基地局は、前記可変ＷＤＭカプラにより分波された光信号を受信する光受信器を具備し、
前記無線基地局と通信する一の移動端末が移動して、通信する無線基地局を変更した場合、
前記統括局は、前記一の移動端末が通信する無線基地局を変更しても、無線基地局へ送信する光信号の波長は変更せずに送信し、移動した先の無線基地局は、前記可変ＷＤＭカプラにより、統括局からの光信号の波長を分波して受信することを特徴とする移動通信用基地局ネットワーク。
【請求項４】
請求項１ないし３いずれか一項記載の移動通信用基地局ネットワークにおいて、
前記無線基地局は、前記移動端末から受信した無線信号を復調してディジタル電気信号に変換する移動通信用無線信号復調器と、前記移動通信用無線信号復調器により変換された前記統括局向けのディジタル電気信号が光波長多重伝送される光信号に変換する光送信器と、前記統括局からのディジタル信号が波長多重伝送されている光信号を受信してディジタル電気信号に変換する光受信器と、前記光受信器により変換されたディジタル電気信号を移動通信用無線周波数信号に変換する移動通信用無線信号変調器とを具備し、
前記統括局は、前記無線基地局から受信したディジタル信号が波長多重伝送されている光信号をディジタル電気信号に変換する光受信器と、無線基地局向けのディジタル信号が波長多重伝送されたディジタル信号の光信号に変換する光送信器とを具備することを特徴とする移動通信用基地局ネットワーク。
【請求項５】
請求項１ないし３いずれか一項記載の移動通信用基地局ネットワークにおいて、
前記無線基地局は、前記移動端末から受信した移動通信用無線信号を復調してディジタル信号に変換する移動通信用無線信号復調器と、前記移動通信用無線信号復調器により変換されたディジタル信号をエントランス用無線信号に変換するエントランス用無線信号変調器と、前記エントランス用無線信号変調器により変換されたエントランス用無線信号をサブキャリア光伝送するために光信号に変換する光送信器と、サブキャリア光伝送されたエントランス用無線信号を電気信号に変換する光受信器と、電気信号に変換されたエントランス用無線信号をディジタル信号に変換するエントランス用無線信号復調器と、前記エントランス用無線信号復調器により変換されたディジタル信号を移動通信用無線周波数信号に変換する移動通信用無線信号変調器とを具備し、
前記統括局は、前記無線基地局が送信したエントランス用の無線信号でサブキャリア光伝送された光信号を電気信号に変換する光受信器と、電気信号に変換されたエントランス用無線信号をディジタル信号に変換するエントランス用無線信号復調器と、無線基地局向けのディジタル信号をエントランス用無線信号に変換するエントランス用無線信号変調器と、前記エントランス用無線信号変調器により変換されたエントランス用無線信号をサブキャリア光伝送するために光信号に変換する光送信器とを具備することを特徴とする移動通信用基地局ネットワーク。
【請求項６】
請求項１ないし３いずれか一項記載の移動通信用基地局ネットワークにおいて、
前記無線基地局は、前記移動端末から受信した無線信号をサブキャリア光伝送するために光信号に変換する光送信器と、前記統括局から受信した移動通信用無線周波数信号がサブキャリア光伝送されている光信号を電気信号に変換する光受信器とを具備し、
前記統括局は、前記無線基地局から受信した移動通信用無線周波数信号がサブキャリア光伝送されている光信号を電気信号に変換する光受信器と、電気信号に変換された移動通信用無線周波数信号をディジタル信号に変換する移動通信用無線信号復調器と、無線基地局向けのディジタル信号を移動通信用無線周波数信号に変換する移動通信用無線信号復調器と、前記移動通信用無線信号復調器により変換された移動通信用無線周波数信号をサブキャリア光伝送された光信号に変換する光送信器とを具備することを特徴とする移動通信用基地局ネットワーク。
【請求項７】
複数の無線基地局と、該複数の無線基地局を統括する統括局とがループ状の光ファイバでサブキャリア光伝送により接続されている移動通信用基地局ネットワークにおいて、
前記無線基地局は、移動端末から受信した移動通信用無線信号を復調してディジタル信号に変換する移動通信用無線信号復調器と、前記移動通信用無線信号復調器により変換されたディジタル信号をエントランス用無線信号に変換する周波数可変エントランス用無線信号変調器と、統括局又は他の無線基地局から伝送された、サブキャリア光伝送されたエントランス用無線信号を電気信号に変換する光受信器と、前記光受信器の出力と前記周波数可変エントランス用無線信号変調器の出力を合波するカプラとを具備し、
前記統括局は、エントランス用無線信号がサブキャリア光伝送されている光信号を電気信号に変換する光受信器と、前記光受信器の出力を周波数毎に分波する周波数選択型カプラと、前記周波数選択型カプラにより分波されたそれぞれのエントランス用の無線信号をディジタル信号に変換するエントランス用無線信号復調器とを具備し、
前記無線基地局と通信する一の移動端末が移動して、通信する無線基地局を変更した場合、
前記一の移動端末が移動した先の無線基地局は、前記周波数可変エントランス用無線信号変調器のキャリア周波数を制御し、移動前の無線基地局が送信したエントランス用無線信号周波数と同一のエントランス用無線信号周波数で、前記統括局に送信することを特徴とする移動通信用基地局ネットワーク。
【請求項８】
請求項７に記載の移動通信用基地局ネットワークにおいて、
前記無線基地局は、サブキャリア光伝送されたエントランス用無線信号を電気信号に変換する光受信器と、前記光受信器の出力から所定の周波数信号を分波する周波数選択型カプラと、前記周波数選択型カプラが分波したエントランス用無線信号をディジタル信号に変換するエントランス用無線信号復調器と、前記エントランス用無線信号復調器により変換されたディジタル信号を移動通信用無線周波数信号に変換する移動通信用無線信号変調器とを具備し、
前記統括局は、無線基地局向けのディジタル信号をエントランス用の無線信号に変換する周波数可変エントランス用無線信号変調器と、前記周波数可変エントランス用無線信号変調器の出力を合波するカプラと、前記エントランス用無線信号変調器により変換されたエントランス用無線信号をサブキャリア光伝送するために光信号に変換する光送信器とを具備し、
前記無線基地局と通信する一の移動端末が移動して、通信する無線基地局を変更した場合、
前記統括局は、無線基地局向けのディジタル信号をエントランス用無線信号に変換する前記周波数可変エントランス用無線信号変調器のキャリア周波数を制御し、前記一の移動端末が移動した無線基地局向けのエントランス用無線周波数に変更することを特徴とする移動通信用基地局ネットワーク。
【請求項９】
請求項７に記載の移動通信用基地局ネットワークにおいて、
前記無線基地局は、サブキャリア光伝送された複数周波数のエントランス用無線信号を電気信号に変換する光受信器と、所定の周波数のみを分波する可変周波数選択型カプラと、前記可変周波数選択型カプラにより分波された電気信号を移動通信用無線周波数信号に変換する移動通信用無線信号変調器とを具備し、
前記統括局は、無線基地局向けのディジタル信号をエントランス用無線信号に変換する複数のエントランス用無線信号変調器と、前記複数のエントランス用無線信号変調器からの電気信号を多重するカプラと、前記カプラの出力をサブキャリア光伝送するために光信号に変換する光送信器とを具備し、
前記無線基地局と通信する一の移動端末が移動して、通信する無線基地局を変更した場合、
前記統括局は、前記一の移動端末が通信する無線基地局を変更しても、周波数可変エントランス用無線信号変調器のキャリア周波数を変更せずに送信し、
移動端末が移動した先の無線基地局は、前記可変周波数選択型カプラの分波周波数を、移動前の無線基地局向けのエントランス用無線信号周波数に変更すること特徴とする移動通信用基地局ネットワーク。
【請求項１０】
請求項１ないし９いずれか一項記載の移動通信用基地局ネットワークにおいて、
複数の無線基地局と、該複数の無線基地局を統括する統括局が光ファイバにより接続されている移動通信用基地局ネットワークは、ループ状に構成されていることを特徴とする移動通信用基地局ネットワーク。
【請求項１１】
請求項１ないし９いずれか一項記載の移動通信用基地局ネットワークにおいて、
複数の無線基地局と、該複数の無線基地局を統括する統括局が光ファイバにより接続されている移動通信用基地局ネットワークは、メッシュ状に構成されていることを特徴とする移動通信用基地局ネットワーク。
【請求項１２】
請求項１ないし９いずれか一項記載の移動通信用基地局ネットワークにおいて、
複数の無線基地局と、該複数の無線基地局を統括する統括局が光ファイバにより接続されている移動通信用基地局ネットワークは、クラスタ化された基地局のネットワークであることを特徴とする移動通信用基地局ネットワーク。
【請求項１３】
請求項１２記載の移動通信用基地局ネットワークにおいて、
クラスタ毎に設けられクラスタ内の無線基地局を統括するクラスタ統括局を、統括する上位統括局を有し、
前記無線基地局と通信する移動端末が移動して、通信するクラスタを変更した場合、
移動前のクラスタ統括局は、上位統括局を介して、移動後のクラスタ統括局に前記移動端末からの信号を、移動前の基地局が送信していた光信号の波長と同じ波長で送信し、
移動後のクラスタの基地局は、前記移動端末からの信号を、移動前の基地局が送信していた光信号の波長と同じ波長で移動後のクラスタ統括局に送信することを特徴とする移動通信用基地局ネットワーク。
【請求項１４】
請求項１２記載の移動通信用基地局ネットワークにおいて、
クラスタ毎に設けられクラスタ内の無線基地局を統括するクラスタ統括局を、統括する上位統括局を有し、
前記無線基地局と通信する移動端末が移動して、通信するクラスタを変更した場合、
移動前のクラスタ統括局は、上位統括局及び移動後のクラスタ統括局を介して、前記移動端末への信号を移動後のクラスタ基地局に、移動前の基地局に送信していた光信号の波長と同じ波長で送信し、また、移動後のクラスタ統括局は、前記移動端末への信号を移動後のクラスタ基地局に、移動前の基地局に送信していた光信号の波長と同じ波長で送信することを特徴とする移動通信用基地局ネットワーク。
【請求項１５】
請求項１３又は１４記載の移動通信用基地局ネットワークにおいて、
前記上位統括局は、光波長変換手段を有し、
前記上位統括局は、移動後のクラスタにおいて、移動前の基地局に送信していた光信号の波長を使用している場合は、上記波長変換手段により、移動後のクラスタで使用していない光信号の波長に変換して、移動後のクラスタのクラスタ統括局に送信することを特徴とする移動通信用基地局ネットワーク。
【請求項１６】
複数の無線基地局と、該複数の無線基地局を統括する統括局とがループ状の光ファイバでそれぞれ光波長多重伝送により接続されている移動通信用基地局ネットワークにおける基地局切換え方法において、
前記無線基地局が前記統括局に送信する送信波長は、移動端末との通信開始時に設定し、前記送信波長は、前記移動端末が通信している間は固定し、
前記移動端末が、移動して通信する無線基地局が変わっても、新しい無線基地局から統括局へは、上記移動端末に設定された送信波長により、前記移動端末の情報を送信することを特徴とする基地局切換え方法。
【請求項１７】
複数の無線基地局と、該複数の無線基地局を統括する統括局とがループ状の光ファイバでそれぞれ光波長多重伝送により接続されている移動通信用基地局ネットワークにおける基地局切換え方法において、
前記統括局は、波長可変送信器を有し、
前記統括局が前記無線基地局に送信する送信波長は、無線基地局毎に設定し、
移動端末が、移動して通信する無線基地局を変更した場合、統括局は、前記波長可変送信器の波長を制御して、変更後の無線基地局に設定された送信波長により、前記移動端末への情報を、変更後の無線基地局に送信することを特徴とする基地局切換え方法。
【請求項１８】
複数の無線基地局と、該複数の無線基地局を統括する統括局とがループ状の光ファイバでそれぞれ光波長多重伝送により接続されている移動通信用基地局ネットワークにおける基地局切換え方法において、
前記統括局が前記無線基地局に送信する送信波長は、移動端末毎に設定し、
前記移動端末が、移動して通信する無線基地局を変更した場合、前記統括局は、移動後の無線基地局に、移動前の無線基地局に設定された送信波長により、前記移動端末の情報を送信することを特徴とする基地局切換え方法。
【請求項１９】
複数の無線基地局と、該複数の無線基地局を統括する統括局とがループ状の光ファイバでサブキャリア光伝送により接続されている移動通信用基地局ネットワークにおける基地局切換え方法において、
前記無線基地局が前記統括局にサブキャリア光伝送するエントランス用無線信号は、移動端末との通信開始時に設定し、前記エントランス用無線信号は、前記移動端末が通信している間は固定し、
前記移動端末が、移動して通信する無線基地局が変わっても、新しい無線基地局から統括局へは、上記移動端末に設定されたエントランス周波数信号により、前記移動端末の情報をサブキャリア光伝送することを特徴とする基地局切換え方法。
【請求項２０】
複数の無線基地局と、該複数の無線基地局を統括する統括局とがループ状の光ファイバでサブキャリア光伝送により接続されている移動通信用基地局ネットワークにおける基地局切換え方法において、
前記統括局が前記無線基地局に送信するエントランス用無線信号は、無線基地局毎に設定し、
移動端末が、移動して通信する無線基地局を変更した場合、新しい無線基地局から統括局へは、移動前の無線基地局に設定されたエントランス周波数信号により、前記移動端末の情報をサブキャリア光伝送することを特徴とする基地局切換え方法。
【発明の詳細な説明】
【０００１】
【発明の属する技術分野】
本発明は、複数のセルに配置された無線基地局と、それを統括する統括局とが光ファイバで波長多重伝送又はサブキャリア光伝送により接続されている移動通信用基地局ネットワーク及び移動通信用基地局ネットワークにおける基地局切換え方法に関するものである。
【０００２】
【従来の技術】
図１４は、従来の移動通信用基地局ネットワークの構成例を示すブロック図である。
【０００３】
統括局１０と無線基地局(ＢＳ１〜ＢＳ７、なお、ＢＳの数は、７に限定されない。以下、「ＢＳ」という。)は光ファイバ３０によりループ状に接続されていて、波長多重伝送により光信号の送受信がなされている。
【０００４】
この構成において、各ＢＳに統括局１０から光伝送する場合は、各ＢＳ毎に受信波長が割り当てられており、統括局１０において各ＢＳ用の光波長を送信する光送信器１６が具備され、ＷＤＭカプラ１７によりそれぞれの光信号が波長多重伝送するために合波されて送信される。
【０００５】
各ＢＳ１〜ＢＳ７においては、それぞれのＷＤＭカプラ２５によって、自分宛ての波長の光信号が分波され、光受信器２３により受信される。光受信器２３からの信号はアクセス系無線(ＢＳと移動端末間の無線通信)送受信器２２によりアンテナ２１を介して移動端末(ＭＳ１、ＭＳ２、なお、ＭＳの数は、２に限定されない。以下、「ＭＳ」という。)と無線通信する。
【０００６】
ＭＳからの無線信号はアンテナ２１を介してアクセス系無線送受信器２２により受信され、光送信器２４により光信号に変換されＷＤＭカプラ２５により波長多重伝送するために合波される。
【０００７】
なお、ＢＳのアクセス系無線送受信器２２には、ＭＳから受信した無線信号を復調してディジタル信号に変換する移動通信用無線信号復調器と、光受信器２３の出力であるディジタル信号を移動通信用無線周波数信号に変換する移動通信用無線信号変調器とを具備している。
【０００８】
統括局１０では各ＢＳからの光信号をＷＤＭカプラ１７により、それぞれの波長毎に分波され、光受信器１５により受信される。
【０００９】
例えば、ＭＳ１がＢＳ３と通信している場合は、統括局から波長λＢＳ３でＢＳ３に伝送し、ＢＳ３から統括局１０へ波長λＢＳ３’で伝送されている。
【００１０】
その際に、ＭＳが移動してＢＳ４と通信を始めたときは、統括局１０においては、ＢＳ３用の波長λＢＳ３からＢＳ４用の波長λＢＳ４の光送信器に選択スイッチ１４で切り換え、統括局１０から波長λＢＳ４でＢＳ４に伝送する。また、同時に、ＢＳ４では、統括局１０へ波長λＢＳ４’で伝送する。その結果、統括局１０への信号は波長λＢＳ３’からλＢＳ４’に変わるので、統括局１０では、波長λＢＳ４’の信号を受信する光受信器に選択スイッチ１３により切り換えて受信する。これにより、ＭＳと統括局は通信を続けることが可能となる。
【００１１】
図１５は、従来の統括局におけるＷＤＭカプラの例を示す図である。
【００１２】
ＷＤＭカプラ１７１においては、各波長の光送信器からの信号が入力され、それが波長多重するために合波されて各ＢＳへ送信される。
【００１３】
従って、送信するＢＳがＢＳ３からＢＳ４に切り換わった場合には、波長λＢＳ３からλＢＳ４へ光送信器を切り換えて伝送する。
【００１４】
一方、ＷＤＭカプラ１７２においては、各ＢＳからの波長λＢＳ１’からλＢＳＮ’の光信号は、それぞれの波長により各端子へ分波され、それぞれ光受信器により受信される。
【００１５】
従って、受信先のＢＳが、ＢＳ３からＢＳ４に切り換わった場合には、出力端子を波長λＢＳ３’からλＢＳ４’に変更する必要があるため、選択スイッチにより光受信器を切り換えて受信する。
【００１６】
【発明が解決しようとする課題】
しかしながら、移動端末の移動による基地局の切り換えが頻繁に生じると統括局において、各光送受信器の選択スイッチ等の選択合成を行う処理が過大になり統括局の処理能力が大きくなりすぎるという問題があった。
【００１７】
本発明は、上記問題に鑑みなされたものであり、移動端末の移動により、基地局の切換えが生じても、統括局における処理を軽減させ、効率的な移動通信用基地局ネットワーク及び前記ネットワークにおける基地局切換え方法を提供することを目的とするものである。
【００１８】
【課題を解決するための手段】
上記課題を解決するために、本件発明は、以下の特徴を有する課題を解決するための手段を採用している。
【００１９】
請求項１に記載された発明は、複数のセルに配置された無線基地局と、それを統括する統括局とが光ファイバで波長多重伝送により接続されている移動通信用基地局ネットワークにおいて、前記無線基地局は、所定の波長の光信号を送信する波長可変送信器（例えば、図１における波長可変光源５４）と、前記波長可変送信器からの光信号を波長多重伝送するために合波するＷＤＭカプラを具備し、前記統括局は、波長多重伝送された光信号の波長を受信する複数の光受信器と、複数の前記無線基地局より波長多重伝送されてきた光信号を各波長にそれぞれ前記光受信器に分波するＷＤＭカプラを具備し、前記無線基地局と通信する移動端末が移動して、通信する無線基地局を変更した場合、移動端末が移動した先の無線基地局は、前記波長可変送信器の波長を制御し、移動前の無線基地局が送信した光信号波長と同一の光信号波長で、前記統括局に送信することを特徴とする。
これにより、移動端末が移動して、基地局を変更しても、統括局は、その移動端末に係る基地局からの信号を、移動前の波長で受信することができる。
【００２０】
請求項２に記載された発明は、請求項１に記載の移動通信用基地局ネットワークにおいて、前記無線基地局に設けたＷＤＭカプラは、波長多重伝送される複数の波長の光信号から、特定の波長のみを分波し、前記無線基地局は、前記ＷＤＭカプラにより分波された光信号を受信する光受信器を具備し、前記統括局は、波長多重伝送のための光信号を送信する複数の波長可変光送信器（例えば、図２における波長可変光源６４）を具備し、前記統括局に設けたＷＤＭカプラは、前記複数の波長可変光送信器からの光信号を波長多重伝送するために合波し、前記無線基地局と通信する移動端末が移動して、通信する無線基地局を変更した場合、前記統括局は、前記波長可変送信器の波長を制御し、移動端末が移動した先の無線基地局向けの光波長に変更して、移動した先の無線基地局に送信することを特徴とする。
【００２１】
これにより、移動端末が移動して、基地局を変更しても、統括局は、その移動端末に係る基地局への信号を、統括局の波長可変送信器の波長を制御して、移動端末が移動した先の無線基地局向けの光波長に変更することで対応することができる。
【００２２】
請求項３に記載された発明は、請求項１に記載の移動通信用基地局ネットワークにおいて、前記無線基地局に設けたＷＤＭカプラは、可変ＷＤＭカプラであって、波長多重伝送された複数の波長の光信号から分波する波長を可変とし、前記無線基地局は、前記可変ＷＤＭカプラにより分波された光信号を受信する光受信器を具備し、前記無線基地局と通信する移動端末が移動して、通信する無線基地局を変更した場合、前記統括局は、移動端末が通信する無線基地局を変更しても、無線基地局へ送信する光信号の波長は変更せずに送信し、移動した先の無線基地局は、前記可変ＷＤＭカプラにより、統括局からの光信号の波長を分波して受信することを特徴とする。
【００２３】
これにより、移動端末が移動して、基地局を変更しても、統括局は、その移動端末に係る基地局への信号を、移動前の波長で送信することができる。
【００２４】
請求項４に記載された発明は、複数のセルに配置された無線基地局と、それを統括する統括局とが光ファイバで波長多重伝送により接続されている移動通信用基地局ネットワークにおいて、前記無線基地局は、前記移動端末から受信した無線信号を復調してディジタル信号に変換する移動通信用無線信号復調器と、前記移動通信用無線信号復調器により変換された前記統括局向けのディジタル信号が波長多重伝送された光信号に変換する光送信器と、前記統括局からのディジタル信号が波長多重伝送されている光信号を受信してディジタル信号に変換する光受信器と、前記光受信器により変換されたディジタル信号を移動通信用無線周波数信号に変換する移動通信用無線信号変調器とを具備し、前記統括局は、前記無線基地局から受信したディジタル信号が波長多重伝送されている光信号をディジタル信号に変換する光受信器と、無線基地局向けのディジタル信号が波長多重伝送されたディジタル信号の光信号に変換する光送信器とを具備することを特徴とする。
【００２５】
請求項５に記載された発明は、複数のセルに配置された無線基地局と、それを統括する統括局とが光ファイバでサブキャリア光伝送により接続されている移動通信用基地局ネットワークにおいて、前記無線基地局は、前記移動端末から受信した移動通信用無線信号を復調してディジタル信号に変換する移動通信用無線信号復調器と、前記移動通信用無線信号復調器により変換されたディジタル信号をエントランス用無線信号に変換するエントランス用無線信号変調器と、前記エントランス用無線信号変調器により変換されたエントランス用無線信号をサブキャリア光伝送するために光信号に変換する光送信器と、サブキャリア光伝送されたエントランス用無線信号を電気信号に変換する光受信器と、電気信号に変換されたエントランス用無線信号をディジタル信号に変換するエントランス用無線信号復調器と、前記エントランス用無線信号復調器により変換されたディジタル信号を移動通信用無線周波数信号に変換する移動通信用無線信号変調器とを具備し、前記統括局は、前記無線基地局が送信したエントランス用の無線信号でサブキャリア光伝送された光信号を電気信号に変換する光受信器と、電気信号に変換されたエントランス用無線信号をディジタル信号に変換するエントランス用無線信号復調器と、無線基地局向けのディジタル信号をエントランス用無線信号に変換するエントランス用無線信号変調器と、前記エントランス用無線信号変調器により変換されたエントランス用無線信号をサブキャリア光伝送するために光信号に変換する光送信器とを具備することを特徴とする。
【００２６】
請求項６に記載された発明は、複数のセルに配置された無線基地局と、それを統括する統括局とが光ファイバでサブキャリア光伝送により接続されている移動通信用基地局ネットワークにおいて、前記無線基地局は、前記移動端末から受信した無線信号をサブキャリア光伝送するために光信号に変換する光送信器と、前記統括局から受信した移動通信用無線周波数信号がサブキャリア光伝送されている光信号を電気信号に変換する光受信器とを具備し、前記統括局は、前記無線基地局から受信した移動通信用無線周波数信号がサブキャリア光伝送されている光信号を電気信号に変換する光受信器と、電気信号に変換された移動通信用無線周波数信号をディジタル信号に変換する移動通信用無線信号復調器と、無線基地局向けのディジタル信号を移動通信用無線周波数信号に変換する移動通信用無線信号復調器と、前記移動通信用無線信号復調器により変換された移動通信用無線周波数信号をサブキャリア光伝送された光信号に変換する光送信器とを具備することを特徴とする。
【００２７】
これにより、請求項５記載の発明におけるエントランス用無線信号の代わりに、移動通信用無線周波数信号を用いてサブキャリア光伝送することができる。
【００２８】
請求項７に記載された発明は、複数のセルに配置された無線基地局と、それを統括する統括局が光ファイバでサブキャリア光伝送により接続されている移動通信用基地局ネットワークにおいて、前記無線基地局は、前記移動端末から受信した移動通信用無線信号を復調してディジタル信号に変換する移動通信用無線信号復調器と、前記移動通信用無線信号復調器により変換されたディジタル信号をエントランス用無線信号に変換する周波数可変エントランス用無線信号変調器と、統括局又は他の無線基地局から伝送された、サブキャリア光伝送されたエントランス用無線信号を電気信号に変換する光受信器と、前記光受信器の出力と前記周波数可変エントランス用無線信号変調器の出力を合波するカプラとを具備し、前記統括局は、エントランス用無線信号がサブキャリア光伝送されている光信号を電気信号に変換する光受信器と、前記光受信器の出力を周波数毎に分波する周波数選択型カプラと、前記周波数選択型カプラにより分波されたそれぞれのエントランス用の無線信号をディジタル信号に変換するエントランス用無線信号復調器とを具備し、前記無線基地局と通信する移動端末が移動して、通信する無線基地局を変更した場合、移動端末が移動した先の無線基地局は、前記周波数可変エントランス用無線信号変調器のキャリア周波数を制御し、移動前の無線基地局が送信したエントランス用無線信号周波数と同一のエントランス用無線信号周波数で、前記統括局に送信することを特徴とする。
【００２９】
これにより、移動端末が移動して、基地局を変更しても、統括局は、その移動端末に係る基地局からの信号を、移動前のエントランス用無線信号周波数で受信することができる。
【００３０】
請求項８に記載された発明は、請求項７に記載の移動通信用基地局ネットワークにおいて、前記無線基地局は、サブキャリア光伝送されたエントランス用無線信号を電気信号に変換する光受信器と、前記光受信器の出力から所定の周波数信号を分波する周波数選択型カプラと、前記周波数選択型カプラが分波したエントランス用無線信号をディジタル信号に変換するエントランス用無線信号復調器と、前記エントランス用無線信号復調器により変換されたディジタル信号を移動通信用無線周波数信号に変換する移動通信用無線信号変調器とを具備し、前記統括局は、無線基地局向けのディジタル信号をエントランス用の無線信号に変換する周波数可変エントランス用無線信号変調器と、前記周波数可変エントランス用無線信号変調器の出力を合波するカプラと、前記エントランス用無線信号変調器により変換されたエントランス用無線信号をサブキャリア光伝送するために光信号に変換する光送信器とを具備し、前記無線基地局と通信する移動端末が移動して、通信する無線基地局を変更した場合、前記統括局は、無線基地局向けのディジタル信号をエントランス用無線信号に変換する前記周波数可変エントランス用無線信号変調器のキャリア周波数を制御し、移動端末が移動した無線基地局向けのエントランス用無線周波数に変更することを特徴とする。
【００３１】
これにより、移動端末が移動して、基地局を変更しても、統括局は、その移動端末に係る基地局へのエントランス用無線周波数を、統括局の周波数可変エントランス用無線信号変調器のキャリア周波数を制御して、移動端末が移動した先の無線基地局向けのエントランス用無線周波数に変更することで対応することができる。
【００３２】
請求項９に記載された発明は、請求項７に記載の移動通信用基地局ネットワークにおいて、前記無線基地局は、サブキャリア光伝送された複数周波数のエントランス用無線信号を電気信号に変換する光受信器と、所定の周波数のみを分波する可変周波数選択型カプラと、前記可変周波数選択型カプラにより分波された電気信号を移動通信用無線周波数信号に変換する移動通信用無線信号変調器とを具備し、前記統括局は、無線基地局向けのディジタル信号をエントランス用無線信号に変換する複数のエントランス用無線信号変調器と、前記複数のエントランス用無線信号変調器からの電気信号を多重するカプラと、前記カプラの出力をサブキャリア光伝送するために光信号に変換する光送信器とを具備し、前記無線基地局と通信する移動端末が移動して、通信する無線基地局を変更した場合、前記統括局は、移動端末が通信する無線基地局を変更しても、周波数可変エントランス用無線信号変調器のキャリア周波数を変更せずに送信し、移動端末が移動した先の無線基地局は、前記可変周波数選択型カプラの分波周波数を、移動前の無線基地局向けのエントランス用無線信号周波数に変更すること特徴とする。
【００３３】
これにより、移動端末が移動して、基地局を変更しても、統括局は、その移動端末に係る基地局への信号を、移動前のエントランス用無線信号周波数で送信することができる。
【００３４】
請求項１０に記載された発明は、請求項１ないし９いずれか一項記載の移動通信用基地局ネットワークにおいて、複数のセルに配置された無線基地局と、それを統括する統括局が光ファイバにより接続されている移動通信用基地局ネットワークは、ループ状に構成されていることを特徴とする。
【００３５】
請求項１１に記載された発明は、請求項１ないし９いずれか一項記載の移動通信用基地局ネットワークにおいて、複数のセルに配置された無線基地局と、それを統括する統括局が光ファイバにより接続されている移動通信用基地局ネットワークは、メッシュ状に構成されていることを特徴とする。
【００３６】
請求項１２に記載された発明は、請求項１ないし９いずれか一項記載の移動通信用基地局ネットワークにおいて、複数のセルに配置された無線基地局と、それを統括する統括局が光ファイバにより接続されている移動通信用基地局ネットワークは、クラスタ型基地局ネットワークであることを特徴とする。
【００３７】
請求項１３に記載された発明は、請求項１２記載の移動通信用基地局ネットワークにおいて、前記クラスタ統括局を統括する上位統括局を有し、前記無線基地局と通信する移動端末が移動して、通信するクラスタを変更した場合、移動前のクラスタ統括局は、上位統括局を介して、移動後のクラスタ統括局に前記移動端末からの信号を、移動前の基地局が送信していた光信号の波長と同じ波長で送信し、移動後のクラスタの基地局は、前記移動端末からの信号を、移動前の基地局が送信していた光信号の波長と同じ波長で移動後のクラスタ統括局に送信することを特徴とする。
【００３８】
請求項１４に記載された発明は、請求項１２記載の移動通信用基地局ネットワークにおいて、前記クラスタ統括局を統括する上位統括局を有し、前記無線基地局と通信する移動端末が移動して、通信するクラスタを変更した場合、移動前のクラスタ統括局は、上位統括局及び移動後のクラスタ統括局を介して、前記移動端末への信号を移動後のクラスタ基地局に、移動前の基地局に送信していた光信号の波長と同じ波長で送信し、また、移動後のクラスタ統括局は、前記移動端末への信号を移動後のクラスタ基地局に、移動前の基地局に送信していた光信号の波長と同じ波長で送信することを特徴とする。
【００３９】
請求項１５に記載された発明は、請求項１３又は１４記載の移動通信用基地局ネットワークにおいて、前記上位統括局は、光波長変換手段を有し、前記上位統括局は、移動後のクラスタにおいて、移動前の基地局に送信していた光信号の波長を使用している場合は、上記波長変換手段により、移動後のクラスタで使用していない光信号の波長に変換して、移動後のクラスタのクラスタ統括局に送信することを特徴とする。
【００４０】
請求項１６に記載された発明は、複数のセルに配置された無線基地局と、それを統括する統括局が光ファイバでそれぞれ波長多重伝送により接続されている移動通信用基地局ネットワークにおける基地局切換え方法において、前記無線基地局が前記統括局に送信する送信波長は、移動端末との通信開始時に設定し、前記送信波長は、前記移動端末が通信している間は固定し、前記移動端末が、移動して通信する無線基地局が変わっても、新しい無線基地局から統括局へは、上記移動端末に設定された送信波長により、前記移動端末の情報を送信することを特徴とする。
【００４１】
請求項１７に記載された発明は、複数のセルに配置された無線基地局と、それを統括する統括局が光ファイバでそれぞれ波長多重伝送により接続されている移動通信用基地局ネットワークにおける基地局切換え方法において、前記統括局は、波長可変送信器を有し、前記統括局が前記無線基地局に送信する送信波長は、無線基地局毎に設定し、前記移動端末が、移動して通信する無線基地局を変更した場合、統括局は、前記波長可変送信器の波長を制御して、変更後の無線基地局に設定された送信波長により、前記移動端末への情報を、変更後の無線基地局に送信することを特徴とする。
【００４２】
請求項１８に記載された発明は、複数のセルに配置された無線基地局と、それを統括する統括局が光ファイバでそれぞれ波長多重伝送により接続されている移動通信用基地局ネットワークにおける基地局切換え方法において、前記統括局が前記無線基地局に送信する送信波長は、無線基地局毎に設定し、前記移動端末が、移動して通信する無線基地局を変更した場合、前記統括局は、移動後の無線基地局に、移動前の無線基地局に設定された送信波長により、前記移動端末の情報を送信することを特徴とする。
【００４３】
請求項１９に記載された発明は、複数のセルに配置された無線基地局と、それを統括する統括局が光ファイバでサブキャリア光伝送により接続されている移動通信用基地局ネットワークにおける基地局切換え方法において、前記無線基地局が前記統括局にサブキャリア光伝送するエントランス用無線信号は、移動端末との通信開始時に設定し、前記エントランス用無線信号は、前記移動端末が通信している間は固定し、前記移動端末が、移動して通信する無線基地局が変わっても、新しい無線基地局から統括局へは、上記移動端末に設定されたエントランス周波数信号により、前記移動端末の情報をサブキャリア光伝送することを特徴とする。
【００４４】
請求項２０に記載された発明は、複数のセルに配置された無線基地局と、それを統括する統括局が光ファイバでサブキャリア光伝送により接続されている移動通信用基地局ネットワークにおける基地局切換え方法において、前記統括局が前記無線基地局に送信するエントランス用無線信号は、無線基地局毎に設定し、前記移動端末が、移動して通信する無線基地局を変更した場合、統括局は、変更後の無線基地局に設定されたエントランス用無線信号により、前記移動端末への情報を、変更後の無線基地局にサブキャリア光伝送することを特徴とする。
【００４５】
請求項２１に記載された発明は、複数のセルに配置された無線基地局と、それを統括する統括局が光ファイバでサブキャリア光伝送により接続されている移動通信用基地局ネットワークにおける基地局切換え方法において、
前記統括局が前記無線基地局に送信するエントランス用無線信号は、無線基地局毎に設定し、前記移動端末が、移動して通信する無線基地局を変更した場合、新しい無線基地局から統括局へは、移動前の無線基地局に設定されたエントランス周波数信号により、前記移動端末の情報をサブキャリア光伝送することを特徴とする。
【００４６】
【発明の実施の形態】
以下、図面に基づいて本発明の実施例を説明する。
【００４７】
図１は、第１の実施例を示す図である。
【００４８】
統括局４０と無線基地局(ＢＳ)は光ファイバによりループ状に接続されていて、波長多重伝送により光信号の送受信がなされている。
【００４９】
統括局４０においては、各光波長を送信する光送信器として波長可変光源４４が具備され、ＷＤＭカプラ４５によりそれぞれの光信号が波長多重伝送するために合波されてＢＳに伝送される。
【００５０】
各無線基地局ＢＳ１〜ＢＳ７においては、それぞれのＷＤＭカプラ５５によって、自分宛ての波長の光信号が分波され、光受信器５３により受信される。光受信器５３からの信号は、アクセス系無線(ＢＳと移動端末間の無線通信)送受信器５２によりアンテナ５１を介して移動端末(ＭＳ)へ無線伝送される。移動端末からの無線信号は、アンテナ５１を介してアクセス系無線送受信器５２により受信され、波長可変光源５４により任意の波長の光信号に変換されＷＤＭカプラ５５により波長多重伝送するために合波される。
【００５１】
統括局４０では、各ＢＳからの光信号は、ＷＤＭカプラ４５によりそれぞれの波長毎に分波され、光受信器４３により受信される。
【００５２】
ここで、ＭＳ１がＢＳ３と通信している場合、ＢＳ３は、ＭＳ１からの情報を波長λＭＳ１で統括局に送信している。その際、ＭＳ１が移動することによりＢＳ４と通信を始めた場合には、ＢＳ４は、波長可変光源５４の波長をλＭＳ１にして統括局４０に送信することで、統括局４０では、切り換え操作を行うことなく波長λＭＳ１の信号を受信し続けることが可能となる。
【００５３】
これにより、ＭＳ１のＢＳ３からＢＳ４への基地局の切り換えが実現する。
【００５４】
図２は、統括局４０におけるＷＤＭカプラ４５の例を示す図である。
【００５５】
ＷＤＭカプラ４５２においては、各ＢＳからの波長λＭＳ１〜λＭＳＮの光信号は、それぞれの波長により各端子へ分波され、それぞれ光受信器４３により受信される。
【００５６】
第１の実施例においては、ＭＳが移動したことにより、基地局の切り換えが生じても、そのＭＳに関して、ＢＳからの波長は変化しないため、同一の出力端子から光信号が分波されるため、同一の光受信器４３で受信することが可能となり、切り換え操作が不要になる。
【００５７】
図３は、第２の実施例を示す図である。
【００５８】
統括局６０と無線基地局(ＢＳ)は光ファイバ３０によりループ状に接続されていて、波長多重伝送により光信号の送受信がなされている。
【００５９】
統括局６０においては、送信する光波長を可変できる波長可変光源６４が具備され、ＷＤＭカプラ６５によりそれぞれの光信号が波長多重伝送するために合波されてＢＳに伝送される。
【００６０】
各ＢＳ１〜ＢＳ７においては、それぞれのＷＤＭカプラ７５によって、自分宛ての波長の光信号が分波され、光受信器７３により受信される。光受信器７３からの信号は、アクセス系無線送受信器７２によりアンテナ７１を介して移動端末(ＭＳ)へ無線伝送される。移動端末からの無線信号は、アンテナ７１を介してアクセス系無線送受信器７２で受信され、波長可変光源７４により任意の波長の光信号に変換されて、ＷＤＭカプラ７５により波長多重伝送するために合波される。
【００６１】
統括局６０では、各ＢＳからの光信号は、ＷＤＭカプラ６５で、それぞれの波長毎に分波され、光受信器６３により受信される。
【００６２】
ここで、ＭＳ１がＢＳ３と通信している場合、その通信情報は、統括局６０から波長λＢＳ３でＢＳ３に送信している。つぎに、ＭＳが移動することにより、ＢＳ４と通信を始めた場合には、統括局６０は、波長可変光源の波長をλＢＳ3からλＢＳ４に変更して送信することで、ＢＳの切り換えが実現する。
【００６３】
これにより、統括局８０では、送信器である波長可変光源の波長を制御するだけで、ＢＳの切り換えが実現する。
【００６４】
図４は、ＢＳにおけるＷＤＭカプラの例を示す図である。ＷＤＭカプラ７５１では、統括局６０又は他ＢＳからの波長λＢＳ１〜λＢＳＮの光信号のうち、自ＢＳ宛ての波長の光信号λＢＳＭが分波され、他の信号は通過する。ＢＳの波長可変光源からの信号は、ＷＤＭカプラ７５２によって、波長多重伝送するために合波される。
【００６５】
従って、ＭＳ１がＢＳ３からＢＳ４との通信に切り換わるときに、統括局において、その通信情報を伝送する波長可変光源の波長をλＢＳ3からλＢＳ４に変更して送信することにより、ＢＳの切り換えが実現する。
【００６６】
図５は、第３の実施例を示す図である。
【００６７】
統括局８０と無線基地局(ＢＳ)は光ファイバ３０によりループ状に接続されていて、波長多重伝送により光信号の送受信がなされている。
【００６８】
統括局８０においては、各光波長を送信する光送信器８４が具備され、ＷＤＭカプラ８５によりそれぞれの光信号が波長多重伝送するために合波されてＢＳに伝送される。
【００６９】
なお、光送信器８４の送信光源は、ＭＳ毎に用意する。例えば、ＭＳ１が、ＢＳ３と最初に、通信を開始したときには、ＭＳ１の送信光源の波長は、λＢＳ３に設定される。
【００７０】
各ＢＳ１〜ＢＳ７においては、それぞれの可変ＷＤＭカプラ９５によって、任意の波長の光信号が分波され、光受信器９３により受信される。光受信器９３からの信号は、アクセス系無線送受信器９２により、アンテナ９１を介して移動端末(ＭＳ)へ無線伝送される。
【００７１】
移動端末からの無線信号は、アンテナ９１を介してアクセス系無線送受信器９２により受信され、波長可変光源９４で所定の波長の光信号に変換され、ＷＤＭカプラ９５により波長多重伝送するために合波される。なお、波長可変光源９４は、その光源の出力波長を任意に制御することができる光源である。
【００７２】
統括局８０では、各ＢＳからの光信号はＷＤＭカプラ８５によりそれぞれの波長毎に分波され、光受信器８３により受信される。
【００７３】
ここで、ＭＳ１がＢＳ３と通信している場合、その通信情報は統括局から波長λＢＳ３でＢＳ３に送信している。ついで、ＭＳが移動することにより、ＢＳ４と通信を始めた場合でも、統括局８０は、基地局向けの送信波長を変更しない。つまり、移動端末が基地局を変更しても、移動前の基地局の光信号の波長λＢＳ３を、変更せずにそのまま、ＢＳ４に送信する。
【００７４】
一方、ＢＳ４は、波長λＢＳ３で伝送されているＭＳ１向けの統括局８０からの信号を、可変ＷＤＭカプラ８５で分波して光受信機９３で受信し、アクセス系無線送受信器９２により、アンテナ９１を介してＭＳ１へ無線伝送する。
【００７５】
これにより、統括局８０では、光送信器の切り換えや波長を制御する操作を行うことなく、ＭＳ１と通信し続けることが可能となり、ＢＳの切り換えが実現する。
【００７６】
図６はＢＳにおけるＷＤＭカプラ９５の例を示す図である。
【００７７】
ＷＤＭカプラ９５１では、統括局８０又は他ＢＳからの波長λＢＳ１〜λＢＳＮの光信号のうち、所定の波長の光信号λＢＳＭが分波され、他の信号は通過する。ＢＳの波長可変光源９４からの信号は、ＷＤＭカプラ９５２によって、波長多重伝送するために合波される。
【００７８】
従って、ＭＳ１がＢＳ３からＢＳ４との通信に切り換わるときに、ＢＳ４で可変ＷＤＭカプラの分波波長をλＢＳ３へ制御することにより、統括局８０からの光信号はＢＳ４へ伝送され、ＢＳの切り換えが実現する。
【００７９】
図７は、第４の実施例を示す図である。
【００８０】
統括局１００と無線基地局(ＢＳ)は光ファイバ３０によりループ状に接続されている。
【００８１】
統括局１００においては、ＭＵＸ／ＤＥＭＵＸ１０２によって、分離された信号は、周波数可変エントランスＭＯＤ１０４によりエントランス用無線信号に変換され、周波数選択型カプラ１０５により周波数多重され、Ｅ／Ｏ１０６によりサブキャリア光伝送によりＢＳに伝送される。
【００８２】
各ＢＳ１〜ＢＳ７においては、それぞれのＯ／Ｅ１１５により周波数多重された無線信号に変換され、周波数選択型カプラ１１４によって、所定のエントランス無線周波数の信号が分波され、周波数可変エントランスＤＥＭ１１３１（なお、周波数可変エントランスＭＯＤＥＭ１１３は、復調を行う周波数可変エントランスＤＥＭ１１３１と変調を行う周波数可変エントランスＭＯＤ１１３２により構成されている。）より復調される。周波数可変エントランスＤＥＭ１１３１で復調されたディジタル信号は、アクセス系無線送受信器１１２により、移動端末向けの無線周波数信号に変換され、アンテナ１１１を介して移動端末(ＭＳ)へ無線伝送される。
【００８３】
移動端末からの無線信号は、アンテナ１１１を介してアクセス系無線送受信器１１２により受信され、ディジタル信号に変換される。このディジタル信号は、次いで、周波数可変エントランスＭＯＤ１１３２によりエントランス用無線信号(周波数fＭＳ１)に変換される。その出力信号は、周波数選択型カプラ１１４により多重され、Ｅ／Ｏ１１６によりサブキャリア光伝送で統括局又は他のＢＳに伝送される。
【００８４】
統括局１００では、各ＢＳからの光信号は、Ｏ／Ｅ１０７により周波数多重された無線信号に変換され、周波数選択型カプラ１０５によりそれぞれの周波数毎に分波され、それぞれの出力は周波数可変エントランスＤＥＭ１０３により復調されて、ディジタル信号となる。
【００８５】
ここで、ＭＳ１がＢＳ３と通信している場合、ＢＳ３は、ＭＳ１からの情報を周波数fＭＳ１の周波数可変エントランス用無線信号で変調して、サブキャリア光伝送によって、統括局１００に送信している。
【００８６】
その際、ＭＳ１が移動することによりＢＳ４と通信を始めた場合には、ＢＳ４は、周波数可変エントランスＭＯＤ１１３２のキャリア（つまり、エントランス無線周波数）を制御して、ＭＳ１からの情報を周波数fＭＳ１のエントランス用無線周波数で変調して、サブキャリア光伝送によって、統括局１００に送信する。  統括局１００では、同じエントランス無線周波数fＭＳ１の信号を受信することにより、ＭＳ１の信号を受信することが可能となる。
【００８７】
これにより、ＭＳ１のＢＳ３からＢＳ４への基地局の切り換えが実現する。
【００８８】
図８は、第５の実施例を示す図である。
【００８９】
統括局１２０と無線基地局(ＢＳ)は光ファイバ３０によりループ状に接続されている。
【００９０】
統括局１２０においては、ＭＵＸ／ＤＥＭＵＸに１２２よって、分離された信号は周波数可変エントランスＭＯＤ１２４によりエントランス用無線信号(周波数fＢＳ１〜fＢＳＮ)に変調され、周波数選択型カプラ１２５により周波数多重され、Ｅ／Ｏ１２６によりサブキャリア光伝送で各ＢＳに伝送される。
【００９１】
各ＢＳ１〜ＢＳ７においては、それぞれのＯ／Ｅ１３５により周波数多重された無線信号に変換され、周波数選択型カプラ１３４によって、自ＢＳ宛ての周波数の信号が分波され、周波数可変エントランスＤＥＭ１３３１（なお、周波数可変エントランスＭＯＤＥＭ１３３は、復調を行う周波数可変エントランスＤＥＭ１３３１と変調を行う周波数可変エントランスＭＯＤ１３３２により構成されている。）により復調される。可変エントランスＤＥＭ１３３１で復調されたディジタル信号は、アクセス系無線送受信器１３２によりアンテナ１３１を介して移動端末(ＭＳ)へ無線伝送される。移動端末からの無線信号はアンテナ１３１を介してアクセス系無線送受信器１３２により受信されてディジタル信号に変換される。次いで、このディジタル信号は、周波数可変エントランスＭＯＤ１３３２によりエントランス用無線信号に変調される。その出力信号は、周波数選択型カプラ１３４により周波数多重され、Ｅ／Ｏ１３６によりサブキャリア光伝送で統括局１２０又は他のＢＳに伝送される。
【００９２】
統括局１２０で、各ＢＳからの光信号は、Ｏ／Ｅ１２７により周波数多重された無線信号に変換され、周波数選択型カプラ１２５によりそれぞれの周波数毎に分波され、それぞれの出力はエントランスＤＥＭ１２３により、ディジタル信号に復調される。
【００９３】
ここで、ＭＳ１がＢＳ３と通信している場合、統括局１２０は、その情報を周波数fＢＳ３のエントランス用無線信号に変調しサブキャリア光伝送によって、ＢＳ３に送信している。
【００９４】
その際、ＭＳ１が移動することによりＢＳ４と通信を始めた場合には、統括局１２０は、周波数可変エントランスＭＯＤ１２４のキャリア（つまり、エントランス無線周波数）を制御して、fＢＳ３のエントランス無線周波数から、fＢＳ４のエントランス無線周波数に変換して、サブキャリア光伝送によって、ＢＳ４に送信する。これにより、統括局１２０では、周波数可変エントランスＭＯＤ１２４のキャリアを制御することにより、ＢＳ３からＢＳ４に信号の送り先を変更することが可能となり、ＢＳの切り換えが実現する。
【００９５】
図９は、第６の実施例を示す図である。
【００９６】
統括局１４０と無線基地局(ＢＳ)は、光ファイバ３０によりループ状に接続されている。
【００９７】
統括局１４０においては、ＭＵＸ／ＤＥＭＵＸ１４２によって分離された信号は周波数可変エントランスＭＯＤ１４４によりエントランス用無線信号(周波数fＢＳ１〜fＢＳＮ)に変調され、周波数選択型カプラ１４５により周波数多重され、Ｅ／Ｏ１４６によりサブキャリア光伝送で各ＢＳに伝送される。
【００９８】
各ＢＳ１〜ＢＳ７においては、それぞれのＯ／Ｅ１５５により周波数多重された無線信号に変換され、可変周波数選択型カプラ１５４によって、所定の周波数の信号が分波され、周波数可変エントランスＤＥＭ１５３１（なお、周波数可変エントランスＭＯＤＥＭ１５３は、復調を行う周波数可変エントランスＤＥＭ１５３１と変調を行う周波数可変エントランスＭＯＤ１５３２により構成されている。）により復調される。可変エントランスＤＥＭ１５３１で復調されたディジタル信号は、アクセス系無線(ＢＳと移動端末間の無線通信)送受信器１５２によりアンテナ１５１を介して移動端末(ＭＳ)へ無線伝送される。
【００９９】
移動端末からの無線信号は、アンテナ１５１を介してアクセス系無線送受信器１５２により受信されてディジタル信号に変換される。このディジタル信号は、周波数可変エントランスＭＯＤ１５３２によりエントランス用無線信号に変換される。その出力信号は、可変周波数選択型カプラ１５４により多重され、Ｅ／Ｏ１５６によりサブキャリア光伝送で統括局１４０又は他のＢＳに伝送される。
【０１００】
統括局１４０は、各ＢＳからの光信号は、Ｏ／Ｅ１４７により周波数多重された無線信号に変換され、周波数選択型カプラ１４５によりそれぞれの周波数毎に分波され、それぞれの出力は周波数可変エントランスＤＥＭ１４３により、ディジタル信号に復調される。
【０１０１】
ここで、ＭＳ１がＢＳ３と通信している場合、統括局１４０は、その情報を周波数fＢＳ３のエントランス用周波数で変調し、サブキャリア光伝送によって、ＢＳ３に送信している。
【０１０２】
その際、ＭＳ１が移動することによりＢＳ４と通信を始めても、統括局１４０は、周波数fＢＳ３のエントランス用無線信号で、サブキャリア光伝送によって、ＢＳ４に送信する。
【０１０３】
一方、ＢＳ４は、可変周波数選択型カプラ１５４の分波周波数をfＢＳ３になるように制御して、統括局１４０からの周波数fＢＳ３のエントランス用無線信号を受信する。
【０１０４】
これにより、周波数の切り換え操作を行うことなくＢＳ３からＢＳ４に信号の送り先を変更することが可能となり、ＢＳの切り換えが実現する。
【０１０５】
図１０は、第７の実施例を示す図である。
【０１０６】
統括局と複数のＢＳはメッシュ状に接続され、図１から図９に示したネットワーク構成を実現している。
【０１０７】
図１１は、第８の実施例を示す図である。
【０１０８】
複数のＢＳはクラスタ化され、各クラスタにはクラスタ統括局１６１〜１６３が配置されている。クラスタ統括局１６１〜１６３は、クラスタ内のＢＳを統括している。
【０１０９】
また、クラスタ統括局１６１〜１６３を統括する統括局１６０が、バックボーンネットワーク３１と接続する。
【０１１０】
図１２及び図１３は、第９の実施例及び第１０の実施例を示す図である。
【０１１１】
移動端末（ＭＳ）が、クラスタ１からクラスタ２へローミングしたときの実施例であり、図１２は、上り回線の制御を示し、図１３は、下り回線の制御を示す。
【０１１２】
図１２で、ＭＳ１が、クラスタ１のＢＳ６と通信しているとき、ＢＳ６は、ＭＳ１からの情報を波長λＭＳ１でクラスタ統括局１に送信している。
【０１１３】
その際、ＭＳ１が移動することにより、クラスタを変更し、クラスタ２のＢＳ２と通信を始めた場合を考える。本実施例ではこの場合、クラスタ１のクラスタ統括局１は、ＭＳ１からの信号を、移動前のＢＳ６が送信していた波長と同じ波長λＭＳ１で、クラスタ２のクラスタ統括局２に向けて、統括局１６０に送信する。
【０１１４】
統括局１６０では、クラスタ２で、波長λＭＳ１を使用していなければ、クラスタ統括局１からの波長λＭＳ１に乗せられたＭＳ１の信号を、そのまま、波長変換せずに中継して、クラスタ統括局２に送信する。
【０１１５】
一方、クラスタ２で、波長λＭＳ１を使用していれば、統括局１６０は、クラスタ統括局１からの波長λＭＳ１を、クラスタ２で使用していない波長λＭＳ１‘に波長変換して、クラスタ統括局２に送信する。
【０１１６】
また、ＭＳ１が移動したクラスタ２のＢＳ２は、ＭＳ１からの信号を、移動前のクラスタ１のＢＳ６が、クラスタ統括局１に送信していた波長と同じ波長λＭＳ１で、クラスタ統括局２に送信する。なお、クラスタ２で、波長λＭＳ１を使用していれば、クラスタ２のＢＳ２は、クラスタ２で使用していない波長λＭＳ１‘で、クラスタ統括局２に送信する。
【０１１７】
これにより、移動端末は、クラスタと無線基地局を切り換えることができる。また、これにより、シームレスなクラスタ間のハンドオーバを実現することができる。
【０１１８】
図１３で、ＭＳ１が、クラスタ１のＢＳ６と通信しているとき、ＢＳ６は、クラスタ統括局１からの情報を波長λＭＳ１で受信している。
【０１１９】
その際、ＭＳ１が移動することにより、クラスタを変更し、クラスタ２のＢＳ２と通信を始めた場合を考える。本実施例ではこの場合、クラスタ１のクラスタ統括局１は、ＭＳ１向けの信号を、移動前のＢＳ６へ送信していた波長と同じ波長λＭＳ１で、クラスタ２のＢＳ２に向けて、統括局１６０に送信する。
【０１２０】
統括局１６０では、クラスタ２で、波長λＭＳ１を使用していなければ、クラスタ統括局１からの波長λＭＳ１に乗せられたＭＳ１の信号を、そのまま、波長変換せずに中継として、クラスタ統括局２に送信する。
【０１２１】
一方、クラスタ２で、波長λＭＳ１を使用していれば、統括局１６０は、クラスタ統括局１からの波長λＭＳ１を、クラスタ２で使用していない波長λＭＳ１‘に波長変換して、クラスタ統括局２に送信する。
【０１２２】
クラスタ統括局２は、ＭＳ１向けの信号を波長λＭＳ１又は波長λＭＳ１‘により移動先のＢＳ２に送信する。ＢＳ２は、アクセス系無線(ＢＳと移動端末間の無線通信)周波数に変換して、ＭＳ１へ無線伝送する。
【０１２３】
これにより、移動端末は、クラスタと無線基地局を切り換えることができる。また、これにより、シームレスなクラスタ間のハンドオーバを実現することができる。
【０１２４】
なお、合波用と分波用にＷＤＭカプラを分けて説明した箇所（例えば、図２、図４）があるが、合波機能用と分波用機能とに着目したものであって、一つのＷＤＭカプラで、両機能を有するものを使用してもよい。
【０１２５】
なお、複数の無線基地局とそれを統括する統括局間を、エントランス用無線信号でサブキャリア光伝送により接続する代わりに、移動通信用無線信号でサブキャリア光伝送により接続することも可能である。
【０１２６】
【発明の効果】
以上説明したように、本発明によれば、複数の無線基地局がそれを統括する統括局が波長多重伝送で接続されている移動通信用基地局ネットワークにおいて、無線基地局と移動端末の通信に対し波長を割り当てし、携帯端末が移動することにより基地局の切り換えが生じた場合に、基地局や統括局で情報を伝送する光信号の波長を制御することで、統括局では切り換え操作が不要となり、制御を簡単化することができる。
【０１２７】
また、サブキャリア光伝送と組み合わせ、そのサブキャリアの周波数を制御することで同様の効果を得ることができる。
【０１２８】
さらに、メッシュ型ネットワーク、クラスタ型ネットワークに適用することで、拡張性の高い移動通信用基地局ネットワークを実現することができる。
【０１２９】
さらに、移動端末が、クラスタ間をローミングすることもできる。
【図面の簡単な説明】
【図１】本発明の第１の実施例を示す図である。
【図２】第１の実施例における統括局内のＷＤＭカプラの例を示す図である。
【図３】本発明の第２の実施例を示す図である。
【図４】第２の実施例におけるＢＳ内のＷＤＭカプラの例を示す図である。
【図５】本発明の第３の実施例を示す図である。
【図６】第３の実施例におけるＢＳ内のＷＤＭカプラの例を示す図である。
【図７】本発明の第４の実施例を示す図である。
【図８】本発明の第５の実施例を示す図である。
【図９】本発明の第６の実施例を示す図である。
【図１０】本発明の第７実施例を示す図である。
【図１１】本発明の第８実施例を示す図である。
【図１２】本発明の第９実施例を示す図である。
【図１３】本発明の第１０実施例を示す図である。
【図１４】従来の移動通信用基地局ネットワークの例を示す図である。
【図１５】従来例における統括局内のＷＤＭカプラの例を示す図である。
【符号の説明】
１０、４０、６０、８０、１００、１２０、１４０    統括局
１１、４１、６１、８１、１０１、１２１、１４１    制御部
１２、４２、６２、８２、１０２、１２２、１４２    ＭＵＸ／ＤＥＭＵＸ
１３、１４    選択スイッチ
１５、２３、４３、５３、６３、７３、８３、９３    光受信器
１６、２４、８４    光送信器
１７、２５、４５、５５、６５、７５、８５    ＷＤＭカプラ
２１、５１、７１、９１、１１１、１３１、１５１    アンテナ
２２、５２、７２、９２、１１２、１３２、１５２    アクセス系無線送受信器
３０    光ファイバ
３１    バックボーンネットワーク
４４、５４、６４、７４、９４    波長可変光源
９５    可変ＷＤＭカプラ
１０３、１２３、１４３    周波数可変エントランスＤＥＭ
１０４、１２４、１４４    周波数可変エントランスＭＯＤ
１０５、１１４、１２５、１３４、１４５    周波数選択型カプラ
１０７、１１５、１２７、１３５、１４７、１５５    Ｏ／Ｅ
１０６、１１６、１２６、１３６、１４６、１５６    Ｅ／Ｏ
１１３、１３３、１５３    周波数可変エントランスＭＯＤＥＭ
１５４    可変周波数選択カプラ
１６０    クラスタ統括局を統括する統括局
１６１    クラスタ統括局
【図１】
0003854446.tif 000002
【図２】
0003854446.tif 000003
【図３】
0003854446.tif 000004
【図４】
0003854446.tif 000005
【図５】
0003854446.tif 000006
【図６】
0003854446.tif 000007
【図７】
0003854446.tif 000008
【図８】
0003854446.tif 000009
【図９】
0003854446.tif 000010
【図１０】
0003854446.tif 000011
【図１１】
0003854446.tif 000012
【図１２】
0003854446.tif 000013
【図１３】
0003854446.tif 000014
【図１４】
0003854446.tif 000015
【図１５】
0003854446.tif 000016